(57)【特許請求の範囲】
【請求項１】
異なる極性の電極が互いに絶縁されて積層された状態の電極組立体と、
前記電極組立体を収容したケースと、
前記ケースの壁部の外側に配置された外部接続端子と、
前記電極組立体と電気的に接続され、前記壁部を貫通して外部に突出した状態の引出端子と、
前記壁部の外側に配置され、かつ前記引出端子と前記外部接続端子とを接続した端子接続部材と、
前記壁部の外側で前記外部接続端子と前記壁部とを絶縁し、かつ前記壁部からの前記引出端子の突出方向に沿って該引出端子が貫通する外側絶縁部材と、を備え、
前記外側絶縁部材は、前記端子接続部材に向けて突出した形状の位置決め突部を有し、
前記端子接続部材は、前記外部接続端子が圧入された圧入孔と、
前記引出端子が挿通された挿通孔と、
前記位置決め突部が係合した係合孔と、を有し、
前記圧入孔と前記係合孔とが前記端子接続部材の面方向に並設されている蓄電装置の製造方法であって、
前記端子接続部材の前記係合孔に治具を嵌めた状態で前記圧入孔に前記外部接続端子を圧入する工程と、
前記治具を前記係合孔から取り外す工程と、
前記圧入孔に前記外部接続端子が圧入された前記端子接続部材の前記係合孔に前記外側絶縁部材の前記位置決め突部を挿入する工程と、を含むことを特徴とする蓄電装置の製造方法。
【請求項２】
前記端子接続部材は矩形状であり、前記面方向は長手方向であって、前記係合孔は前記端子接続部材の短手方向に長手が延びる長孔状であり、前記治具は細長の柱状である請求項１に記載の蓄電装置の製造方法。
【請求項３】
前記蓄電装置は二次電池である請求項１又は請求項２に記載の蓄電装置の製造方法。
【発明の詳細な説明】
【技術分野】
【０００１】
本発明は、外部接続端子と外側絶縁部材を備える蓄電装置の製造方法に関する。
【背景技術】
【０００２】
従来から、ＥＶ（Electric Vehicle）やＰＨＶ（Plug in Hybrid Vehicle）などの車両には、電動機などへの供給電力を蓄える蓄電装置としてリチウムイオン二次電池やニッケル水素二次電池などが搭載されている。一般的に、二次電池は、活物質層を有する正極電極及び負極電極が層状に重なった電極組立体と、該電極組立体を収容するケースとを備えている。正極電極及び負極電極には導電部材を介して端子構造が接続されている。
【０００３】
例えば、特許文献１に開示の電池の端子構造は、図６に示すように、蓋板８０を貫通して外部に突出するリベット端子８１を備える。また、端子構造は、蓋板８０上に配置された上部絶縁封止板８２を備える。上部絶縁封止板８２には、リベット端子８１の下端カシメ部８１ａが貫通している。
【０００４】
端子構造は、上部絶縁封止板８２上に配置された端子接続杆８３を備える。端子接続杆８３は嵌合孔８３ａを備え、この嵌合孔８３ａにはリベット端子８１の上端カシメ部８１ｂが嵌入されている。
【０００５】
リベット端子８１の下端カシメ部８１ａ及び上端カシメ部８１ｂのカシメにより、蓋板８０と、上部絶縁封止板８２と、端子接続杆８３が挟持されている。また、カシメにより、リベット端子８１と端子接続杆８３が電気的に接続されている。
【０００６】
端子構造は、端子ボルト８４を備える。端子ボルト８４は、ボルト部８４ａを備える。ボルト部８４ａは、端子接続杆８３の貫通孔８３ｂに嵌合されている。
特許文献１の端子構造は、リベット端子８１に位置決め突部となる突起部８１ｃを備える。この突起部８１ｃは、端子接続杆８３の係合孔としての副嵌合孔８３ｃに嵌入され、突起部８１ｃは副嵌合孔８３ｃの内面に係合している。突起部８１ｃの副嵌合孔８３ｃへの嵌入により、カシメ部８１ａ，８１ｂを中心とした端子接続杆８３の回転が抑制されている。  
【先行技術文献】
【特許文献】
【０００７】
【特許文献１】特開２００３−９２１０３号公報
【発明の概要】
【発明が解決しようとする課題】
【０００８】
ところで、特許文献１の端子構造において、その組み付け性を向上させるため、端子ボルト８４を端子接続杆８３の貫通孔８３ｂに予め嵌合して一体化した後、端子接続杆８３の嵌合孔８３ａにリベット端子８１の上端カシメ部８１ｂを貫通させる場合がある。しかし、端子ボルト８４を端子接続杆８３に嵌合した際、嵌合によって端子接続杆８３が変形してしまう虞がある。すると、端子接続杆８３の変形により、副嵌合孔８３ｃの開口幅が狭くなるように変形してしまい、副嵌合孔８３ｃに突起部８１ｃを嵌入できなくなってしまう。その結果、突起部８１ｃを副嵌合孔８３ｃに係合させることができず、端子接続杆８３の回転が抑制できなくなる。
【０００９】
本発明は、上記従来技術に存在する問題点に着目してなされたものであり、その目的は、係合孔の変形を抑制することができる蓄電装置の製造方法を提供することにある。
【課題を解決するための手段】
【００１０】
上記問題点を解決するための蓄電装置の製造方法は、異なる極性の電極が互いに絶縁されて積層された状態の電極組立体と、前記電極組立体を収容したケースと、前記ケースの壁部の外側に配置された外部接続端子と、前記電極組立体と電気的に接続され、前記壁部を貫通して外部に突出した状態の引出端子と、前記壁部の外側に配置され、かつ前記引出端子と前記外部接続端子とを接続した端子接続部材と、前記壁部の外側で前記外部接続端子と前記壁部とを絶縁し、かつ前記壁部からの前記引出端子の突出方向に沿って該引出端子が貫通する外側絶縁部材と、を備え、前記外側絶縁部材は、前記端子接続部材に向けて突出した形状の位置決め突部を有し、前記端子接続部材は、前記外部接続端子が圧入された圧入孔と、前記引出端子が挿通された挿通孔と、前記位置決め突部が係合した係合孔と、を有し、前記圧入孔と前記係合孔とが前記端子接続部材の面方向に並設されている蓄電装置の製造方法であって、前記端子接続部材の前記係合孔に治具を嵌めた状態で前記圧入孔に前記外部接続端子を圧入する工程と、前記治具を前記係合孔から取り外す工程と、前記圧入孔に前記外部接続端子が圧入された前記端子接続部材の前記係合孔に前記外側絶縁部材の前記位置決め突部を挿入する工程と、を含むことを要旨とする。
【００１１】
これによれば、係合孔に治具を嵌めた状態で外部接続端子を圧入孔に圧入する。このとき、端子接続部材における圧入孔の周囲は、端子接続部材の面方向に沿って圧入孔を広げる方向に変形する。端子接続部材は、係合孔の開口幅が狭くなるように変形しようとするが、係合孔の内面が治具に当たって係合孔の変形が規制される。このため、治具を係合孔から取り外した後の工程において、外側絶縁部材の位置決め突部を係合孔に挿入し、係合孔の内面に位置決め突部を係合させることができる。
【００１２】
また、蓄電装置の製造方法について、前記端子接続部材は矩形状であり、前記面方向は長手方向であって、前記係合孔は前記端子接続部材の短手方向に長手が延びる長孔状であり、前記治具は細長の柱状であってもよい。
【００１３】
これによれば、圧入孔に外部接続端子を圧入したとき、端子接続部材の短手方向のいずれの位置で係合孔に向けた変形が発生しても、その変形を治具で規制することが可能になる。
【００１４】
また、前記蓄電装置は二次電池である。
【発明の効果】
【００１５】
本発明によれば、係合孔の変形を抑制することができる。
【図面の簡単な説明】
【００１６】
【図１】実施形態の二次電池を示す分解斜視図。
【図２】実施形態の二次電池の外観を示す斜視図。
【図３】端子構造を示す断面図。
【図４】治具を示す斜視図。
【図５】（ａ）は係合孔に治具を嵌めた状態を示す断面図、（ｂ）は外部接続端子の圧入後に、治具を取り外した状態を示す断面図。
【図６】背景技術を示す図。
【発明を実施するための形態】
【００１７】
以下、蓄電装置の製造方法を二次電池の製造方法に具体化した一実施形態を図１〜図５にしたがって説明する。
図１又は図２に示すように、蓄電装置としての二次電池１０はケース１１を備える。二次電池１０は、ケース１１内に収容された電極組立体１２及び電解液（図示せず）を備える。ケース１１は、四角箱状のケース部材１４と、このケース部材１４の開口部１４ａを閉塞する矩形平板状の蓋部材１５とを有している。蓋部材１５は、ケース１１の壁部を構成する。本実施形態の二次電池１０はリチウムイオン電池である。
【００１８】
電極組立体１２は、シート状の複数の正極電極２１とシート状の複数の負極電極３１とを備える。正極電極２１と負極電極３１とは異なる極性の電極である。詳細に図示しないが、正極電極２１は、正極金属箔（本実施形態ではアルミニウム箔）と、その正極金属箔の両面に存在する正極活物質層とを有する。負極電極３１は、負極金属箔（本実施形態では銅箔）と、その負極金属箔の両面に存在する負極活物質層とを有する。そして、電極組立体１２は、複数の正極電極２１と複数の負極電極３１の間にこれらを絶縁するセパレータ２４を介在させて層状とした積層型である。
【００１９】
正極電極２１は、正極電極２１の一辺の一部から突出した形状のタブ２５を有する。負極電極３１は、負極電極３１の一辺の一部から突出した形状のタブ３５を有する。複数の正極のタブ２５、及び複数の負極のタブ３５は、正極電極２１及び負極電極３１が積層された状態で、正極のタブ２５と負極のタブ３５とが重ならない位置にそれぞれ設けられている。電極組立体１２は、タブ２５，３５の突出したタブ側端面１２ｂを有する。
【００２０】
二次電池１０は、タブ側端面１２ｂから突出した正極のタブ群３６を有する。正極のタブ群３６は、全ての正極のタブ２５を電極組立体１２における積層方向の一端側に寄せ集め、積層して構成されている。二次電池１０は、タブ側端面１２ｂから突出した負極のタブ群３６を有する。負極のタブ群３６は、全ての負極のタブ３５を電極組立体１２における積層方向の一端側に寄せ集め、積層して構成されている。
【００２１】
正極のタブ群３６には正極の導電部材５１が接合されている。正極の導電部材５１の長手方向一端側には正極のタブ群３６が接合されている。正極の導電部材５１の長手方向他端側には正極の引出端子６０が接合されている。
【００２２】
負極のタブ群３６には負極の導電部材５１が接合されている。負極の導電部材５１の長手方向一端側には負極のタブ群３６が接合されている。負極の導電部材５１の長手方向他端側には負極の引出端子６０が接合されている。各導電部材５１は、蓋部材１５の内面１５ｄと電極組立体１２のタブ側端面１２ｂとの間に配置されている。
【００２３】
次に、正極端子構造１６及び負極端子構造１７を説明する。なお、正極端子構造１６と負極端子構造１７は概ね同じ構成であるため、共通の部材については、同じ部材番号を使用して説明する。また、図３には、正極端子構造１６のみを図示する。
【００２４】
図１又は図３に示すように、蓋部材１５は、ケース１１の外側に臨む外面１５ｃ及びケース１１の内側に臨む内面１５ｄを有する。蓋部材１５において、外面１５ｃと内面１５ｄを最短距離で結ぶ方向を厚み方向とする。
【００２５】
蓋部材１５は、長手方向における両側に係止凸部１８を備える。各係止凸部１８は、外面１５ｃから厚み方向に沿って突出した形状である。蓋部材１５を外面１５ｃから見て、係止凸部１８は、蓋部材１５の長手方向に長手が延びる突条形状である。各係止凸部１８は、蓋部材１５の短手方向の中央に位置する。蓋部材１５は、長手方向における各係止凸部１８より外側に挿通孔１５ｅを備える。
【００２６】
正極端子構造１６及び負極端子構造１７は、蓋部材１５の外面１５ｃに配置された外側絶縁部材５７を備える。正極端子構造１６において、外側絶縁部材５７は、正極の外部接続端子６６及び引出端子６０を蓋部材１５から絶縁する。負極端子構造１７において、外側絶縁部材５７は、負極の外部接続端子６６及び引出端子６０を蓋部材１５から絶縁する。
【００２７】
外側絶縁部材５７は合成樹脂製である。外側絶縁部材５７は、蓋部材１５の外面１５ｃから見て矩形状である。外側絶縁部材５７の長手方向は、蓋部材１５の長手方向に沿い、外側絶縁部材５７の短手方向は、蓋部材１５の短手方向に沿う。外側絶縁部材５７は、蓋部材１５の外面１５ｃに対峙する裏面５７ａと、裏面５７ａと平行な表面５７ｃを有する。外側絶縁部材５７において、裏面５７ａと表面５７ｃを結ぶ方向を厚み方向とする。
【００２８】
外側絶縁部材５７は、長手方向の一端寄りに位置決め突部５８を備える。位置決め突部５８は、表面５７ｃから厚み方向に突出した形状である。位置決め突部５８は、外側絶縁部材５７の短手方向に長手が延びる細長形状である。
【００２９】
外側絶縁部材５７は、長手方向の一端寄りに、裏面５７ａから厚み方向に凹んだ回り止め凹部５９を備える。回り止め凹部５９は、蓋部材１５の長手方向に長手が延びる細長状である。回り止め凹部５９の開口形状は、蓋部材１５を外面１５ｃから見た係止凸部１８の外形状と相似であり、係止凸部１８の外形状より一回り小さい。
【００３０】
外側絶縁部材５７は、回り止め凹部５９に係止凸部１８が挿入された状態で蓋部材１５の外面１５ｃに設置されている。回り止め凹部５９の内側面は、係止凸部１８の外側面に接触している。ここで、蓋部材１５はケース部材１４に固定されている。このため、係止凸部１８の外側面に対する回り止め凹部５９の内側面の接触により、外側絶縁部材５７は、蓋部材１５の外面１５ｃに沿う方向への移動が規制され、特に、外面１５ｃ上での回転が規制されている。
【００３１】
外側絶縁部材５７は、長手方向の他端寄りに挿通孔５７ｄを備える。挿通孔５７ｄは、蓋部材１５の挿通孔１５ｅと一致した位置にある。
正極端子構造１６及び負極端子構造１７は、蓋部材１５の外側に配置された外部接続端子６６を備える。外部接続端子６６は蓋部材１５の外側で、二次電池１０同士を電気的に接続するバスバーを固定可能とする。外部接続端子６６は金属製である。
【００３２】
外部接続端子６６は、円板状のボルト頭部６７と、外部接続端子６６の軸方向に沿ってボルト頭部６７の一端面から突出した形状の軸部６８とを備える。軸部６８には、バスバー締結用のナットが螺合可能である。ボルト頭部６７は、軸部６８より大径である。
【００３３】
正極端子構造１６及び負極端子構造１７は、引出端子６０を備える。引出端子６０は、導電部材５１を介してタブ群３６と電気的に接続されている。よって、引出端子６０は電極組立体１２と電気的に接続されている。引出端子６０は、後述の端子接続部材４４と電気的に接続される接続用軸部６０ａと、導電部材５１と電気的に接続される基部６０ｂとを軸方向に連続して備える。引出端子６０は、基部６０ｂを導電部材５１に接合して導電部材５１と一体化されている。
【００３４】
正極端子構造１６及び負極端子構造１７は端子接続部材４４を備える。端子接続部材４４は、矩形板状である。端子接続部材４４は、外側絶縁部材５７に臨む裏面４４ａと、ケース１１の外側に臨む表面４４ｂを有する。端子接続部材４４において裏面４４ａと表面４４ｂを最短距離で結ぶ方向を厚み方向とする。
【００３５】
端子接続部材４４は、端子接続部材４４の面方向である長手方向の一端寄りに係合孔４５を備える。係合孔４５は、端子接続部材４４を厚み方向に貫通する。係合孔４５は、端子接続部材４４の短手方向に細長な長孔状である。二次電池１０の製造の際、係合孔４５には、治具５２が嵌められる。
【００３６】
図４に示すように、治具５２は例えば鉄製である。治具５２は、四角板状の基板５３と、基板５３から突出した細長な柱状の係合突条５４と、を備える。係合突条５４の長手方向への寸法Ｌ１は、係合孔４５の長手方向への寸法Ｎ１より僅かに小さく、係合突条５４の短手方向の寸法Ｌ２は、係合孔４５の短手方向の寸法Ｎ２より僅かに小さい。係合突条５４が係合孔４５に嵌められると、係合突条５４の外側面は、係合孔４５の内面の全体に亘って接触する。
【００３７】
図１又は図３に示すように、係合孔４５には、外側絶縁部材５７の位置決め突部５８が挿入されている。係合孔４５の内側面には、位置決め突部５８の外側面が接触している。この接触により、端子接続部材４４は、外側絶縁部材５７の表面５７ｃに沿う方向への移動が規制され、特に、表面５７ｃ上での回転が規制されている。
【００３８】
端子接続部材４４は、長手方向に沿って係合孔４５に隣接する位置に圧入孔４７を備える。圧入孔４７は、円形状である。また、圧入孔４７の孔径は、外部接続端子６６の圧入前は、外部接続端子６６の軸部６８の直径より僅かに大きい。
【００３９】
圧入孔４７には、ボルト頭部６７が圧入されている。ボルト頭部６７の圧入孔４７への圧入により、外部接続端子６６が端子接続部材４４に回り止めされた状態で一体化されている。端子接続部材４４において、圧入孔４７に外部接続端子６６が挿入され、ボルト頭部６７が圧入されることで、端子接続部材４４の裏面４４ａ側が拡径するとともに、ボルト頭部６７の端面が係合した係合面４４ｃが形成されている。
【００４０】
端子接続部材４４は、長手方向の他端寄りに挿通孔４８を備える。挿通孔４８は、端子接続部材４４を厚み方向に貫通する。挿通孔４８は円形状である。挿通孔４８には、引出端子６０の接続用軸部６０ａが挿通されている。接続用軸部６０ａは、内側絶縁部材４０の挿通孔４０ａ、蓋部材１５の挿通孔１５ｅ、外側絶縁部材５７の挿通孔５７ｄ及び端子接続部材４４の挿通孔４８を貫通している。
【００４１】
正極端子構造１６及び負極端子構造１７は、シールリング７３を有する。シールリング７３には、引出端子６０の接続用軸部６０ａが挿通されている。シールリング７３は、引出端子６０の基部６０ｂに支持されている。また、正極端子構造１６及び負極端子構造１７は、接続用軸部６０ａが挿通された前述の内側絶縁部材４０を有する。内側絶縁部材４０は、四角板状である。
【００４２】
内側絶縁部材４０の内側には、シールリング７３が配置されている。内側絶縁部材４０は基部６０ｂを覆っている。内側絶縁部材４０は、蓋部材１５と引出端子６０の接触を規制するとともに、蓋部材１５と引出端子６０とを絶縁する。
【００４３】
端子接続部材４４の挿通孔４８を貫通した接続用軸部６０ａの先端部が軸方向にかしめられることにより、接続用軸部６０ａと基部６０ｂによって、内側絶縁部材４０、蓋部材１５、外側絶縁部材５７、及び端子接続部材４４が挟持されている。この挟持により、引出端子６０が蓋部材１５に固定されている。シールリング７３は、蓋部材１５の内面１５ｄのうち挿通孔１５ｅの周囲に密接し、蓋部材１５の挿通孔１５ｅをシールしている。
【００４４】
また、引出端子６０の接続用軸部６０ａの先端部は、端子接続部材４４の表面に係止するとともに、この係止によって引出端子６０と端子接続部材４４が電気的に接続されている。また、引出端子６０の基部６０ｂは、導電部材５１に接触し、この接触によって、引出端子６０と導電部材５１が電気的に接続されている。
【００４５】
次に、二次電池１０の製造方法を作用とともに記載する。
まず、蓋部材１５の各係止凸部１８を外側絶縁部材５７の回り止め凹部５９に挿入した状態で蓋部材１５の外面１５ｃに外側絶縁部材５７を配置する。
【００４６】
次に、図５（ａ）に示すように、端子接続部材４４の係合孔４５に、治具５２の係合突条５４を嵌める工程を行う。治具５２は、基板５３が端子接続部材４４の裏面４４ａに当接するまで係合突条５４を係合孔４５に嵌める。この工程により、係合突条５４の外側面が係合孔４５の内面の全体に亘って接触する。
【００４７】
次に、圧入孔４７に外部接続端子６６のボルト頭部６７を圧入する工程を行い、端子接続部材４４と外部接続端子６６を一体化する。
次に、図５（ｂ）に示すように、係合孔４５から係合突条５４を抜き取り、端子接続部材４４から治具５２を取り外す工程を行う。
【００４８】
次に、圧入孔４７に外部接続端子６６が圧入された端子接続部材４４の係合孔４５に外側絶縁部材５７の位置決め突部５８を挿入する工程を行う。すると、端子接続部材４４が外側絶縁部材５７の表面５７ｃに配置される。
【００４９】
次に、蓋部材１５の内面１５ｄ側にシールリング７３、内側絶縁部材４０を配置する。引出端子６０の接続用軸部６０ａを、内側絶縁部材４０の挿通孔４０ａ、シールリング７３、蓋部材１５の挿通孔１５ｅ、外側絶縁部材５７の挿通孔５７ｄ及び端子接続部材４４の挿通孔４８に挿入する。そして、引出端子６０の接続用軸部６０ａのかしめにより、基部６０ｂと接続用軸部６０ａの先端部との間に、内側絶縁部材４０、シールリング７３、蓋部材１５、外側絶縁部材５７、及び端子接続部材４４が一体化される。
【００５０】
次に、各引出端子６０の基部６０ｂに導電部材５１を接合する。すると、蓋部材１５に正極端子構造１６及び負極端子構造１７が形成される。そして、各導電部材５１に同じ極性のタブ群３６を接合する。
【００５１】
電極組立体１２をケース部材１４の開口部１４ａからケース部材１４内に挿入する。電極組立体１２がケース部材１４内に挿入された後、蓋部材１５をケース部材１４の開口端に接合すると、二次電池１０が製造される。
【００５２】
上記実施形態によれば、以下のような効果を得ることができる。
（１）端子接続部材４４の係合孔４５に治具５２の係合突条５４を嵌めた状態で、圧入孔４７に外部接続端子６６を圧入するようにした。このため、圧入孔４７に外部接続端子６６を圧入した際の端子接続部材４４の変形を、治具５２の係合突条５４で受け止めることができる。よって、圧入孔４７に隣接した係合孔４５が、圧入孔４７への外部接続端子６６の圧入によって変形することを規制できる。その結果、係合孔４５に外側絶縁部材５７の位置決め突部５８を挿入して位置決め突部５８を係合孔４５に係合させることができる。したがって、端子接続部材４４に外部接続端子６６を圧入する構造としても、外側絶縁部材５７に対する端子接続部材４４の回り止め状態を維持できる。
【００５３】
（２）係合孔４５は、端子接続部材４４の短手方向に長手が延びる長孔状であり、係合突条５４は、係合孔４５に嵌められる細長の柱状である。このため、圧入孔４７に外部接続端子６６を圧入した際、端子接続部材４４がその短手方向のいずれの位置で変形しても、その変形を係合突条５４で規制することができる。
【００５４】
（３）治具５２の係合突条５４の外側面は、係合孔４５の内面の全体に亘って接触する。このため、圧入孔４７に外部接続端子６６を圧入した際、端子接続部材４４がその短手方向全体に亘って変形しても、その変形を治具５２で受け止め、係合孔４５の変形を規制することができる。
【００５５】
（４）係合孔４５に嵌められる治具５２は１つである。このため、治具５２を複数の分割体とする場合と比べると、係合孔４５に治具５２を嵌める作業が行いやすい。
（５）治具５２において、係合突条５４の長手方向への寸法Ｌ１は、係合孔４５の長手方向への寸法Ｎ１より僅かに小さく、係合突条５４の短手方向の寸法Ｌ２は、係合孔４５の短手方向の寸法Ｎ２より僅かに小さい。このため、係合突条５４を係合孔４５に嵌めることで端子接続部材４４が変形することが無く、係合孔４５に治具５２を嵌めることで圧入孔４７が変形することが無い。
【００５６】
なお、上記実施形態は以下のように変更してもよい。
○  治具５２は、複数の分割体であってもよい。
○  治具５２は、基板５３が無く、係合突条５４だけの構成であってもよい。
【００５７】
○  係止凸部１８は突条形状でなく、蓋部材１５の外面１５ｃから見て正方形状、長方形状、楕円形状、丸形状でもよく、係止凸部１８に合わせて回り止め凹部５９も、蓋部材１５の外面１５ｃから見て正方形状、長方形状、楕円形状、丸形状でもよい。
【００５８】
○  壁部は蓋部材１５ではなく、ケース部材１４の側壁であってもよい。
○  電極組立体１２は積層型でなく、捲回型であってもよい。
○  引出端子６０は、導電部材５１を介さず、タブ群３６に直接接続されていてもよい。
【００５９】
○  蓄電装置は、例えばキャパシタなど、二次電池以外の蓄電装置にも適用可能である。
○  正極電極２１及び負極電極３１は、金属箔の片面に活物質層が存在する構造でもよい。
【００６０】
○  二次電池１０は、リチウムイオン二次電池でもよいし、他の二次電池であってもよい。要は、正極用の活物質と負極用の活物質との間をイオンが移動するとともに電荷の授受を行うものであればよい。
【００６１】
次に、上記実施形態及び別例から把握できる技術的思想について以下に追記する。
（１）前記治具の外側面は、前記係合孔の内面の全体に亘って接触する蓄電装置の製造方法。
【００６２】
（２）前記治具の寸法は、前記係合孔の寸法より僅かに小さい蓄電装置の製造方法。
【符号の説明】
【００６３】
１０…二次電池、１１…ケース、１２…電極組立体、１５…壁部としての蓋部材、２１…電極としての正極電極、３１…電極としての負極電極、４４…端子接続部材、４５…係合孔、４７…圧入孔、４８…挿通孔、５２…治具、５７…外側絶縁部材、５８…位置決め突部、６０…引出端子、６６…外部接続端子。
【図１】
0006623899.tif 000002
【図２】
0006623899.tif 000003
【図３】
0006623899.tif 000004
【図４】
0006623899.tif 000005
【図５】
0006623899.tif 000006
【図６】
0006623899.tif 000007